(57)【特許請求の範囲】
【請求項１】
ブリッジを形成可能な散布物を空中から散布する散布装置であって、
内部に前記散布物を収容可能であって且つその下部に開口部が形成されたケースと、
前記ケースの下部に配置されるとともに、前記ケースとの間で前記開口部の縁に沿う隙間を形成可能な底部材と
を備え、
前記開口部は円形状をなしており、
前記底部材は、前記隙間にブリッジを形成するように前記散布物を介在させた状態で前記ケースに対して相対移動可能であって、上下方向に延びるとともに前記開口部の中心を通る軸線を中心に前記ケースに対して相対回転可能であり、且つ上下方向から見て円形状をなしていることを特徴とする散布装置。
【請求項２】
前記底部材は、前記隙間を形成する隙間形成位置と、前記隙間を閉塞する隙間閉塞位置との間で移動可能に構成されていることを特徴とする請求項１に記載の散布装置。
【請求項３】
前記底部材の上面は、その径方向において中心側よりも周縁側の方が低くなっていることを特徴とする請求項１または請求項２のうちいずれか一項に記載の散布装置。
【請求項４】
前記ケースは円筒状をなし、
前記底部材は、前記ケースの軸線を中心に回転可能であるとともに、その上面に前記散布物と係合する底部材側凸部が形成されていることを特徴とする請求項１〜請求項３のうちいずれか一項に記載の散布装置。
【請求項５】
前記ケースの内周面における前記底部材と対向する位置には、内側に突出する突出部が形成されていることを特徴とする請求項４に記載の散布装置。
【請求項６】
前記突出部の上面には、前記散布物と係合する突出部側凸部が形成されていることを特徴とする請求項５に記載の散布装置。
【請求項７】
ブリッジを形成可能な散布物を空中から散布する散布方法であって、
内部に前記散布物を収容可能であって且つその下部に円形状をなす開口部が形成されたケースと、該ケースの下部に配置されるとともに前記ケースとの間で前記開口部の縁に沿う隙間を形成可能であって上下方向から見て円形状をなす底部材との間に前記隙間を形成することで、該隙間に前記散布物のブリッジを形成するブリッジ形成ステップと、
該ブリッジ形成ステップで形成した前記散布物のブリッジを、前記底部材を上下方向に延びるとともに前記開口部の中心を通る軸線を中心に前記ケースに対して相対回転させることで崩壊させるブリッジ崩壊ステップと
を備えたことを特徴とする散布方法。
【発明の詳細な説明】
【技術分野】
【０００１】
本発明は、散布物を空中から散布する散布装置及び散布方法に関する。
【背景技術】
【０００２】
従来、このような散布装置としては、ヘリコプタに取り付けて空中から薬剤（散布物）を散布するものが知られている（例えば、特許文献１）。この特許文献１の散布装置は、薬剤が収容される薬剤タンクと、該薬剤タンクの下部に設けられた略漏斗状のシャッターケースとを備えている。シャッターケース内には、モータによって回転駆動される軸部と、該軸部の表面に放射状に突設した複数のブレードとにより構成されたシャッター体が収納されている。
【０００３】
そして、シャッター体を回転駆動させることで、薬剤タンク内の薬剤がシャッターケースの下部に設けられたダクト部からホース等を介して拡散散布部に供給され、該拡散散布部から空中散布されるようになっている。
【先行技術文献】
【特許文献】
【０００４】
【特許文献１】特開２００８−１６７７０３号公報
【発明の概要】
【発明が解決しようとする課題】
【０００５】
ところで、特許文献１の散布装置では、シャッターケースが設けられる薬剤タンクの下部が下側に向かって徐々に幅狭となる形状になっている。このため、薬剤がブリッジを形成しやすいものである場合には、薬剤タンクの下部における幅狭となっている部分で薬剤のブリッジ（架橋構造）が形成されてしまい、該薬剤がシャッター体まで到達しないことがある。この結果、薬剤を円滑に散布することができなくなってしまうおそれがあるという問題がある。
【０００６】
本発明は、このような課題に着目してなされたものである。その目的とするところは、ブリッジを形成可能な散布物を円滑に散布することが可能な散布装置及び散布方法を提供することにある。
【課題を解決するための手段】
【０００７】
上記の目的を達成するために、散布装置に係る請求項１に記載の発明は、ブリッジを形成可能な散布物を空中から散布する散布装置であって、内部に前記散布物を収容可能であって且つその下部に開口部が形成されたケースと、前記ケースの下部に配置されるとともに、前記ケースとの間で前記開口部の縁に沿う隙間を形成可能な底部材とを備え、前記底部材は、前記隙間にブリッジを形成するように前記散布物を介在させた状態で前記ケースに対して相対移動可能であることを要旨とする。
【０００８】
上記構成によれば、ケースの開口部と底部材との隙間にブリッジを形成するように散布物を介在させた状態で底部材をケースに対して相対移動させることで、散布物のブリッジが崩壊される。このため、ブリッジを形成可能な散布物をケースの開口部と底部材との隙間から円滑に散布することが可能となる。
【０００９】
また、請求項１に記載の発明は、前記開口部は円形状をなしており、前記底部材は、上下方向に延びるとともに前記開口部の中心を通る軸線を中心に前記ケースに対して相対回転可能であり、且つ上下方向から見て円形状をなしていることを要旨とする。
【００１０】
上記構成によれば、ケースの開口部と底部材との隙間にブリッジを形成するように散布物を介在させた状態で底部材をケースに対して相対回転させることで、散布物のブリッジが崩壊される。このため、ブリッジを形成可能な散布物をケースの開口部と底部材との隙間から円滑に散布することが可能となる。
【００１１】
請求項２に記載の発明は、請求項１に記載の発明において、前記底部材は、前記隙間を形成する隙間形成位置と、前記隙間を閉塞する隙間閉塞位置との間で移動可能に構成されていることを要旨とする。
【００１２】
上記構成によれば、底部材をケースの開口部を開閉する蓋として機能させることが可能となる。
請求項３に記載の発明は、請求項１または請求項２に記載の発明において、前記底部材の上面は、その径方向において中心側よりも周縁側の方が低くなっていることを要旨とする。
【００１３】
上記構成によれば、底部材の上面上にある散布物をケースの開口部と底部材との隙間へ重力を利用して円滑に導くことが可能となる。
請求項４に記載の発明は、請求項１〜請求項３のうちいずれか一項に記載の発明において、前記ケースは円筒状をなし、前記底部材は、前記ケースの軸線を中心に回転可能であるとともに、その上面に前記散布物と係合する底部材側凸部が形成されていることを要旨とする。
【００１４】
上記構成によれば、底部材が回転した際に底部材側凸部が散布物と係合するため、底部材の上面に対して散布物が滑り難くなる。このため、ケースの開口部と底部材との隙間に形成された散布物のブリッジを好適に崩壊させることが可能となる。
【００１５】
請求項５に記載の発明は、請求項４に記載の発明において、前記ケースの内周面における前記底部材と対向する位置には、内側に突出する突出部が形成されていることを要旨とする。
【００１６】
上記構成によれば、ケース内の散布物の重量の一部を突出部に負担させることができるので、底部材が負担する散布物の重量を軽減することが可能となる。
請求項６に記載の発明は、請求項５に記載の発明において、前記突出部の上面には、前記散布物と係合する突出部側凸部が形成されていることを要旨とする。
【００１７】
上記構成によれば、ケース内の散布物が底部材の回転に伴って回転した場合に、突出部側凸部が散布物と係合するため、突出部の上面に対して散布物が滑り難くなる。このため、ケースの開口部と底部材との隙間に形成された散布物のブリッジを崩壊し易くすることが可能となる。
【００１８】
散布方法に係る請求項７に記載の発明は、ブリッジを形成可能な散布物を空中から散布する散布方法であって、内部に前記散布物を収容可能であって且つその下部に円形状をなす開口部が形成されたケースと、該ケースの下部に配置されるとともに前記ケースとの間で前記開口部の縁に沿う隙間を形成可能であって上下方向から見て円形状をなす底部材との間に前記隙間を形成することで、該隙間に前記散布物のブリッジを形成するブリッジ形成ステップと、該ブリッジ形成ステップで形成した前記散布物のブリッジを、前記底部材を上下方向に延びるとともに前記開口部の中心を通る軸線を中心に前記ケースに対して相対回転させることで崩壊させるブリッジ崩壊ステップとを備えたことを要旨とする。
【００１９】
上記構成によれば、ブリッジ形成ステップで形成した散布物のブリッジをブリッジ崩壊ステップで崩壊させることができるので、ブリッジを形成可能な散布物をケースの開口部と底部材との隙間から円滑に散布することが可能となる。
【発明の効果】
【００２０】
本発明によれば、ブリッジを形成可能な散布物を円滑に散布することが可能な散布装置及び散布方法を提供することができる。
【図面の簡単な説明】
【００２１】
【図１】実施形態の散布装置の使用状態を示す模式図。
【図２】同散布装置の分解斜視図。
【図３】同散布装置の平面図。
【図４】同散布装置において底部材が隙間閉塞位置にあるときの状態を示す断面図。
【図５】同散布装置において底部材が隙間形成位置にあるときの状態を示す断面図。
【図６】変更例の散布装置におけるケースの簡略斜視図。
【図７】変更例の散布装置におけるケースの簡略斜視図。
【図８】変更例の散布装置におけるケースの簡略斜視図。
【図９】変更例の散布装置における底部材の側面図。
【図１０】変更例の散布装置における底部材の側面図。
【図１１】変更例の散布装置における底部材の平面図。
【発明を実施するための形態】
【００２２】
以下、本発明を有人のヘリコプタに吊り下げられた状態で野鼠駆除剤を空中から散布するための散布装置に具体化した一実施形態を図面に基づいて説明する。
図１に示すように、散布装置１１は、有人のヘリコプタ１２からロープ１３により空中に吊り下げられた状態で使用される。散布装置１１は、ヘリコプタ１２と電気ケーブル１４によって電気的に接続されるとともに、該電気ケーブル１４を介してヘリコプタ１２から駆動用の電力が供給されるようになっている。
【００２３】
電気ケーブル１４には散布装置１１の駆動状態を操作するための操作部（図示略）が設けられるとともに、該操作部はヘリコプタ１２のコクピット内に配置されている。そして、ヘリコプタ１２の操縦士が操作部（図示略）を操作することで、コクピット内から散布装置１１が遠隔操作されるようになっている。
【００２４】
図２に示すように、散布装置１１は、円筒状のケース１５と、ケース１５内に回転及び昇降可能に収容されるとともに中心にシャフト１６が設けられた円錐状の底部材１７と、ケース１５内に設けられるとともにシャフト１６を軸支する軸受け部材１８と、ケース１５内に底部材１７と対向するように設けられた円環板状の突出部１９とを備えている。さらに、散布装置１１は、ケース１５の上端に架設されるとともに平面視矩形状をなす橋架部材２０と、橋架部材２０上に配置されるとともにシャフト１６を介して底部材１７を昇降移動及び回転駆動可能に支持する駆動機構２１とを備えている。
【００２５】
図３及び図４に示すように、ケース１５の軸線Ｊは、該ケース１５の上端に位置する円形状の開口部２２及び該ケース１５の下端に位置する円形状の開口部２３の中心を通るように延びている。ケース１５の外周面における上端及び下端には、外側に向かって延びる円環状の上側フランジ部２４及び下側フランジ部２５がそれぞれ形成されている。下側フランジ部２５には、散布装置１１を地面に置いた際の脚となる脚部２６が設けられている。
【００２６】
脚部２６は、下側フランジ部２５と同径の円環状をなす脚本体２６ａと、該脚本体２６ａの周方向に等間隔で設けられるとともに脚本体２６ａと下側フランジ部２５とを連結する４つの連結部２６ｂとを備えている。各連結部２６ｂは、上下方向に延びる丸棒状をなしている。したがって、下側フランジ部２５と脚本体２６ａとは、上下方向において各連結部２６ｂの長さ分だけ離間している。
【００２７】
ケース１５内における上下方向の中央部よりもやや下寄りの位置には、軸受け部材１８が配置されている。軸受け部材１８は、軸線がケース１５の軸線Ｊと一致する円筒状の軸受け部２７と、該軸受け部２７をケース１５の周壁に支持する複数本（本実施形態では３本）の丸棒状をなす支持部２８とを備えている。各支持部２８は、軸受け部２７の外周面から外側に向かって水平に且つ放射状に延びるとともに、それらの先端部がそれぞれケース１５の周壁に固定されている。この場合、各支持部２８は、軸受け部２７の周方向に沿って互いに等間隔になるようにそれぞれ配置されている。
【００２８】
ケース１５内の下端部には該ケース１５の下端側の開口部２３を塞ぐように底部材１７が配置されるとともに、該底部材１７の外径はケース１５の内径よりも僅かに小さくなるように設定されている。また、底部材１７は円錐状をなしているため、その上面１７ａは、該底部材１７の径方向における中心側よりも周縁側の方が低くなるように傾斜している。そして、底部材１７の上面１７ａの中心には、軸線がケース１５の軸線Ｊと一致する丸棒状のシャフト１６が立設されている。
【００２９】
底部材１７の上面１７ａには、中心側から周縁側へ向かって延びる底部材側凸部としての複数（本実施形態では６つ）の第１凸条２９が底部材１７の周方向に沿って互いに等間隔となるように設けられている。各第１凸条２９は、中心側から周縁側へ向かうにつれて平面視で（図３において）軸線Ｊを中心とした時計方向側に徐々に湾曲している。そして、底部材１７はケース１５内の下端部にあるため、各第１凸条２９はケース１５内に収容される散布物としての多数の野鼠駆除剤Ｋと係合するようになっている。なお、各野鼠駆除剤Ｋは、粒状の薬剤が数粒ずつ和紙で包装された矩形袋状（本実施形態では５ｃｍ×５ｃｍ程度）をなしている。
【００３０】
ケース１５の内周面における底部材１７と対向する位置には、斜め下方（内側）に向かって突出する円環板状の突出部１９が設けられている。突出部１９の上面１９ａには、上側から下側へ向かって延びる突出部側凸部としての複数（本実施形態では８つ）の第２凸条３０が突出部１９の周方向に沿って互いに等間隔となるように設けられている。各第２凸条３０は、上端部に対して下側部が平面視で（図３において）軸線Ｊを中心とした反時計方向側にずれるように傾斜している。なお、各第２凸条３０も、各第１凸条２９と同様に、ケース１５内に収容される各野鼠駆除剤Ｋと係合するようになっている。
【００３１】
図２及び図４に示すように、橋架部材２０は、ケース１５の直径に沿って延びるとともに、長手方向の両端部がケース１５の上側フランジ部２４に固定されている。橋架部材２０の中央部には、軸線がケース１５の軸線Ｊと一致する円形の貫通孔２０ａが形成されている。橋架部材２０の上面における両端部には、二股に分かれたロープ１３の下端部側を図示しないボルトとナットとによってそれぞれ接続するための一対の接続金具２０ｂがそれぞれ設けられている。橋架部材２０の上面上における中央部には、貫通孔２０ａを覆うように駆動機構２１が固定されている。
【００３２】
そして、底部材１７の上面１７ａの中心から上方に向かって真っ直ぐに延びるシャフト１６は、軸受け部材１８の軸受け部２７及び橋架部材２０の貫通孔２０ａに挿通された状態で、その上端部が駆動機構２１に支持されている。この場合、軸受け部２７及び貫通孔２０ａは、シャフト１６の上下方向の移動及び軸線Ｊを中心とした回転を許容しつつ、該シャフト１６の水平方向の位置決めをしている。
【００３３】
図４及び図５に示すように、駆動機構２１は、駆動モータ（図示略）を備えるとともに、該駆動モータの駆動によりシャフト１６を介して底部材１７を昇降移動させたり回転駆動させたりすることが可能になっている。この場合、駆動機構２１は、シャフト１６を介して底部材１７を、該底部材１７がケース１５との間で開口部２３の縁に沿う隙間Ｓを形成しない隙間閉塞位置（図４に示す位置）と、該底部材１７がケース１５との間で開口部２３の縁に沿う隙間Ｓを形成する隙間形成位置（図５に示す位置）との間で昇降移動可能になっている。
【００３４】
次に、散布装置１１による野鼠駆除剤Ｋの空中からの森林への散布方法について説明する。
さて、散布装置１１によって野鼠駆除剤Ｋを森林へ空中散布する場合には、まず、底部材１７が隙間閉塞位置にある状態でケース１５内に野鼠駆除剤Ｋをほぼ一杯になるまで収容する。続いて、この多数の野鼠駆除剤Ｋが収容された散布装置１１をロープ１３によってヘリコプタ１２に吊り下げた状態で、野鼠駆除剤Ｋを散布する森林の上空までヘリコプタ１２を移動させる。
【００３５】
続いて、ヘリコプタ１２の操縦士が操作部（図示略）の散布開始ボタン（図示略）を押すと、底部材１７が駆動機構２１によって隙間閉塞位置から隙間形成位置に移動されて、底部材１７とケース１５との間に隙間Ｓが形成される（ブリッジ形成ステップ）。これにより、隙間Ｓには各野鼠駆除剤Ｋのブリッジ（架橋構造）が形成されるため、各野鼠駆除剤Ｋが隙間Ｓから落下することはない。すなわち、各野鼠駆除剤Ｋは、矩形袋状になっているため、流動し難く、ブリッジを形成しやすい。
【００３６】
引き続き、底部材１７は、駆動機構２１により、図３の矢印で示すように平面視で反時計方向に回転される（ブリッジ崩壊ステップ）。すなわち、底部材１７の回転にともなって各第１凸条２９及び各第２凸条３０が各野鼠駆除剤Ｋと係合した状態で該各第１凸条２９によって該各野鼠駆除剤Ｋが撹拌される。このとき、突出部１９がケース１５内の各野鼠駆除剤Ｋの重量の一部を負担するため、底部材１７が負担する各野鼠駆除剤Ｋの重量が軽減される。このため、駆動機構２１の駆動モータ（図示略）にかかる負荷が軽減される。
【００３７】
そして、各第１凸条２９による各野鼠駆除剤Ｋの撹拌により、各野鼠駆除剤Ｋのブリッジが効率よく崩壊されるとともに、該各野鼠駆除剤Ｋが各第１凸条２９によって速度が与えられながら隙間Ｓから底部材１７の回転方向に沿ってケース１５外へ放出される。これにより、散布装置１１によって空中から森林に向かって各野鼠駆除剤Ｋがほぼ均一に散布される。
【００３８】
また、森林における別の散布場所で各野鼠駆除剤Ｋを散布する場合には、ヘリコプタ１２の操縦士によって操作部（図示略）の散布停止ボタン（図示略）が押される。すると、底部材１７の回転が停止するため、隙間Ｓに各野鼠駆除剤Ｋのブリッジが再び形成されて該各野鼠駆除剤Ｋの散布が停止した状態になる。この状態でヘリコプタ１２が別の散布場所に移動しても、ケース１５内の各野鼠駆除剤Ｋが隙間Ｓから落下することはない。
【００３９】
そして、ヘリコプタ１２が別の散布場所に移動した後に、ヘリコプタ１２の操縦士が操作部（図示略）の散布開始ボタン（図示略）を押すと、底部材１７が再び回転するため、ケース１５内の各野鼠駆除剤Ｋのブリッジが崩壊されて該各野鼠駆除剤Ｋが隙間Ｓから散布される。
【００４０】
そして、森林への各野鼠駆除剤Ｋの散布の終了後、底部材１７の回転が停止した状態でヘリコプタ１２の操縦士が操作部（図示略）の散布終了ボタン（図示略）を押すと、底部材１７が駆動機構２１によって隙間形成位置から隙間閉塞位置に移動されて、底部材１７により隙間Ｓが閉塞される。
【００４１】
このように、散布装置１１は、各野鼠駆除剤Ｋのブリッジを形成させることで、各野鼠駆除剤Ｋの散布を停止する一方、各野鼠駆除剤Ｋのブリッジを崩壊させることで、各野鼠駆除剤Ｋの散布を行っている。すなわち、散布装置１１は、各野鼠駆除剤Ｋのブリッジの形成と各野鼠駆除剤Ｋのブリッジの崩壊とを意図的に制御することで、各野鼠駆除剤Ｋの散布状態を制御している。したがって、散布装置１１では、各野鼠駆除剤Ｋの散布中に意図しない該各野鼠駆除剤Ｋのブリッジが形成されることがないので、各野鼠駆除剤Ｋを円滑に散布することができる。
【００４２】
以上詳述した実施形態によれば次のような効果が発揮される。
（１）散布装置１１において、底部材１７は、ケースの下端の開口部２３と底部材１７との隙間Ｓにブリッジを形成するように各野鼠駆除剤Ｋを介在させた状態で、駆動機構２１によって回転可能に構成されている。このため、隙間Ｓにブリッジを形成するように各野鼠駆除剤Ｋを介在させた状態で駆動機構２１によって底部材１７を回転させることで、各野鼠駆除剤Ｋのブリッジを容易に崩壊させることができるので、ケース１５内に収容された各野鼠駆除剤Ｋを隙間Ｓから外部へ円滑に散布することができる。
【００４３】
（２）散布装置１１において、底部材１７は、隙間Ｓを形成する隙間形成位置と、隙間Ｓを閉塞する隙間閉塞位置との間で駆動機構２１によって昇降移動可能に構成されているため、底部材１７をケース１５の開口部２３を開閉する蓋として機能させることができる。
【００４４】
（３）散布装置１１において、底部材１７の上面１７ａは、その径方向において中心側よりも周縁側の方が低くなっているため、底部材１７の上面１７ａ上にある各野鼠駆除剤Ｋをケース１５の開口部２３と底部材１７との隙間Ｓへ重力を利用して円滑に導くことができる。
【００４５】
（４）散布装置１１において、底部材１７の上面１７ａには、ケース１５内に収容された各野鼠駆除剤Ｋと係合する各第１凸条２９が形成されている。このため、駆動機構２１によって底部材１７を回転させた際に、各第１凸条２９が底部材１７の上面１７ａ上の各野鼠駆除剤Ｋと係合するため、各野鼠駆除剤Ｋが底部材１７の上面１７ａに対して滑り難くなる。この結果、ケース１５の開口部２３と底部材１７との隙間Ｓに形成された各野鼠駆除剤Ｋのブリッジを好適に崩壊させることができる。加えて、駆動機構２１によって底部材１７を回転させた際に、各第１凸条２９が底部材１７の上面１７ａ上の各野鼠駆除剤Ｋと係合することで、該各野鼠駆除剤Ｋを隙間Ｓからケース１５外へ速度を与えながら放り出すことができる。
【００４６】
（５）散布装置１１において、ケース１５の内周面における底部材１７と対向する位置には、内側に突出する突出部１９が形成されている。このため、ケース１５内に収容された各野鼠駆除剤Ｋの重量の一部を突出部１９に負担させることができるので、底部材１７が負担する各野鼠駆除剤Ｋの重量を軽減することができる。この結果、底部材１７を回転させる際の駆動機構２１の駆動モータ（図示略）にかかる負荷を軽減することができる。
【００４７】
（６）散布装置１１において、突出部１９の上面１９ａには、各野鼠駆除剤Ｋと係合する各第２凸条３０が形成されている。このため、駆動機構２１による底部材１７の回転に伴ってケース１５内に収容された各野鼠駆除剤Ｋが回転した場合に、各第２凸条３０が各野鼠駆除剤Ｋと係合するため、突出部１９の上面１９ａに対して各野鼠駆除剤Ｋが滑り難くなる。この結果、ケース１５の開口部２３と底部材１７との隙間Ｓに形成された各野鼠駆除剤Ｋのブリッジが崩壊され易くすることができる。
【００４８】
（７）底部材１７の上面１７ａには、中心側から周縁側へ向かって延びる底部材側凸部としての複数の第１凸条２９が底部材１７の周方向に沿って互いに等間隔となるように設けられるとともに、該各第１凸条２９は、中心側から周縁側へ向かうにつれて平面視で軸線Ｊを中心とした時計方向側に徐々に湾曲している。このため、底部材１７を平面視で反時計方向に回転させた場合には、底部材１７の上面１７ａ上の各野鼠駆除剤Ｋを各第１凸条２９によって中心側から周縁側へ導くことができる。
【００４９】
（変更例）
なお、上記実施形態は、次のように変更して具体化することも可能である。
・図６に示すように、ケース１５は、下側に向かうほど徐々に径が大きくなるように構成してもよい。
【００５０】
・図７に示すように、ケース１５は、下側に向かうほど徐々に径が小さくなるように構成してもよい。
・図８に示すように、ケース１５は、上下方向の中央部（途中位置）から下側に向かうほど徐々に径が大きくなるように構成してもよい。
【００５１】
・図９に示すように、底部材１７の上面１７ａは、外側に膨らむ曲面状にしてもよい。
・図１０に示すように、底部材１７の上面１７ａは、内側に膨らむ曲面状にしてもよい。
【００５２】
・図１１に示すように、底部材１７の上面１７ａ上には、長さの異なる２つの並列した第１凸条２９を１セットとして、底部材１７の周方向に沿って互いに等間隔となるように複数セット（ここでは４セット）設けるようにしてもよい。
【００５３】
・底部材１７の上面１７ａ上に設ける各第１凸条２９の数や配置（間隔）は任意に変更してもよいし、全ての第１凸条２９を省略してもよい。
・底部材１７の上面１７ａ上の各第１凸条２９は、断続的に延びるように構成してもよい。
【００５４】
・各第１凸条２９の代わりに多数の突起を底部材側凸部としてもよい。
・各第１凸条２９を省略するとともに、底部材１７の上面１７ａを粗面化するようにしてもよい。
【００５５】
・突出部１９の上面１９ａ上に設ける第２凸条３０の数や配置（間隔）は任意に変更してもよいし、全ての第２凸条３０を省略してもよい。
・突出部１９の上面１９ａ上の各第２凸条３０は、断続的に延びるように構成してもよい。
【００５６】
・各第２凸条３０の代わりに多数の突起を突出部側凸部としてもよい。
・突出部１９は、省略してもよい。
・突出部１９は、ケース１５の内周面に沿って断続的に設けてもよい。
【００５７】
・底部材１７の回転軸線は、必ずしもケース１５の軸線Ｊと一致させる必要はない。すなわち、底部材１７の回転軸線を軸線Ｊに対して偏心させてもよい。
・底部材１７の上面１７ａは、平面であってもよい。
【００５８】
・底部材１７は、隙間形成位置において移動不能で且つ回転可能に構成してもよい。
・散布装置１１は、底部材１７を固定してケース１５を回転させるようにしてもよい。この場合、ケース１５の内周面には、該ケース１５内に収容した各野鼠駆除剤Ｋのブリッジを崩壊させるための突起等を設けることが好ましい。
【００５９】
・ケース１５の上端の開口部２２は閉塞してもよい。
・ケース１５の上端の開口部２２は金網で覆うようにしてもよい。
・ケース１５は、多角形の筒状にしてもよい。この場合、底部材１７の平面視での形状もケース１５の開口部の形状に合わせることが好ましい。
【００６０】
・散布装置１１は、ケース１５に対して底部材１７を上下方向において近接及び離間するように相対移動させることで、隙間Ｓからケース１５内に収容した各野鼠駆除剤Ｋを外部へ散布するようにしてもよい。
【００６１】
・散布装置１１は、平面視で底部材１７を時計方向及び反時計方向に交互に回転させることで、隙間Ｓからケース１５内に収容した各野鼠駆除剤Ｋを外部へ散布するようにしてもよい。
【００６２】
・散布装置１１は、操作部（図示略）から無線で操作できるように構成してもよい。
・散布物には、ブリッジが形成可能であれば、どのようなものを用いてもよい。すなわち、野鼠駆除剤Ｋの代わりに、例えば、腐葉土やバーク堆肥などの非粒状性のものを散布物として用いてもよい。この場合、散布物の種類に応じて隙間Ｓの大きさや底部材１７の回転速度を調整することで、散布装置１１による単位時間あたりの散布物の散布量を調整してもよい。
【００６３】
・散布装置１１は、ロープ１３を用いずにヘリコプタ１２に直接連結してもよい。
・散布装置１１は、無人のヘリコプタに対して、ロープ１３で吊り下げて使用してもよいし、直接連結して使用してもよい。
【００６４】
・散布装置１１は、索道、クレーン（クレーン車）、飛行船、飛行機、熱気球などに対して、ロープ１３で吊り下げて使用してもよいし、これらに直接連結して使用してもよい。
【００６５】
・散布装置１１において、駆動機構２１を省略して、底部材１７を手動で回転させるようにしてもよい。
【符号の説明】
【００６６】
１１…散布装置、１５…ケース、１７…底部材、１９…突出部、２３…開口部、２９…底部材側凸部としての第１凸条、３０…突出部側凸部としての第２凸条、Ｊ…ケース１５の軸線、Ｋ…散布物としての野鼠駆除剤、Ｓ…隙間。
【要約】
【課題】ブリッジを形成可能な散布物を円滑に散布することが可能な散布装置及び散布方法を提供する。
【解決手段】散布装置１１は、内部に多数の野鼠駆除剤Ｋを収容可能であって且つその下端部に開口部２３が形成されたケース１５と、該ケース１５の下端部に配置されるとともにケース１５との間で開口部２３の縁に沿う隙間Ｓを形成可能な底部材１７とを備えている。底部材１７は、隙間Ｓにブリッジを形成するように野鼠駆除剤Ｋを介在させた状態でケース１５の軸線Ｊを中心に該ケース１５に対して回転可能になっている。
【選択図】図５【図１】
0004787909.tif 000002
【図２】
0004787909.tif 000003
【図３】
0004787909.tif 000004
【図４】
0004787909.tif 000005
【図５】
0004787909.tif 000006
【図６】
0004787909.tif 000007
【図７】
0004787909.tif 000008
【図８】
0004787909.tif 000009
【図９】
0004787909.tif 000010
【図１０】
0004787909.tif 000011
【図１１】
0004787909.tif 000012